(57)【要約】      （修正有）【課題】アンカーの再利用の機会を確保しながらアンカー孔を塞ぐことのできるアンカー孔閉塞具を提供する。【解決手段】アンカー孔閉塞具１は、表面部と裏面部とを有し、表面部が外壁Ｈの表面部Ｈａと面一となる一方、裏面部がアンカー孔ｈの内方に向くようにアンカー孔ｈに配置されて、アンカー孔ｈを塞ぐ化粧カバー本体と、化粧カバー本体の裏面部からアンカー孔ｈの内方に突出する刺突部とを備え、全体画鋲状をなす化粧カバー部材２０と、アンカー１０１に形成された壁つなぎ部材挿入孔１１１に圧入固定される固定用軸部１１と、アンカー孔ｈの内部で壁つなぎ部材挿入孔１１１外に配置される頭部１２とを備え、頭部１２の表面部中央に、化粧カバー部材２０の刺突部を受容する受入用孔部を有する化粧カバー固定用ボルト１０とを備える。【選択図】図３
0003235159.tif 000002
【実用新案登録請求の範囲】
【請求項１】
施工対象物の外壁に開設されたアンカー孔に埋設され、施工時の足場の固定に用いられるアンカーに装着されて、施工後の前記アンカー孔を塞ぐアンカー孔閉塞具であって、
表面部と裏面部とを有し、前記表面部が前記外壁の表面部と面一となる一方、前記裏面部が前記アンカー孔の内方に向くように前記アンカー孔に配置されて、前記アンカー孔を塞ぐ化粧カバー本体と、前記化粧カバー本体の裏面部から前記アンカー孔の内方に突出する刺突部とを備え、全体画鋲状をなす化粧カバー部材と、
前記アンカーに形成された壁つなぎ部材挿入孔に圧入固定される固定用軸部と、前記アンカー孔の内部で前記壁つなぎ部材挿入孔外に配置される頭部とを備え、前記頭部の表面部中央に、前記化粧カバー部材の刺突部を受容する受入用孔部を有する化粧カバー固定用ボルトとを備えることを特徴とするアンカー孔閉塞具。
【請求項２】
前記化粧カバー本体の表面部に前記外壁の表面部の柄が付され、表面保護用のコーティング処理が施されていることを特徴とする、
請求項１に記載のアンカー孔閉塞具。
【請求項３】
前記化粧カバー本体は、前記化粧カバー固定用ボルトの頭部よりも大きな外径を有することを特徴とする、
請求項１に記載のアンカー孔閉塞具。
【請求項４】
前記化粧カバー部材の刺突部は、前記化粧カバー本体の裏面部が前記化粧カバー固定用ボルトの頭部に接した状態で、当該頭部を前記化粧カバー固定用ボルトの軸方向に貫通する長さを有することを特徴とする、
請求項１に記載のアンカー孔閉塞具。
【請求項５】
前記化粧カバー固定用ボルトの頭部は、前記固定用軸部よりも大きな外径を有することを特徴とする、
請求項１に記載のアンカー孔閉塞具。
【請求項６】
前記化粧カバー固定用ボルトは、少なくとも前記固定用軸部が樹脂材により形成されていることを特徴とする、
請求項１に記載のアンカー孔閉塞具。
【考案の詳細な説明】
【技術分野】
【０００１】
本考案は、ビル等の外壁施工に用いられるアンカーの挿入孔を塞ぐアンカー孔閉塞具に関する。
【背景技術】
【０００２】
ビル等の建築物または構造物を対象とする外壁施工では、作業用の足場を組まなければならない。足場の構築では、施工対象物の外壁に足場を固定するため、直径数ｃｍ程度のアンカー孔を外壁表面に穿設する。そして、このアンカー孔に筒型ボルト形状のアンカーまたはグリップアンカーを打ち込み、打ち込まれたアンカーに対し、足場本体部を壁つなぎ部材により連結し、足場を固定する（特許文献１）。
【０００３】
ビルの外壁施工は、（１）ビルの躯体外面にタイルを敷き詰める方法（以下「タイル施工法」という）と、（２）タイルを用いず、躯体外面に塗装処理を施すに止める方法（以下「塗装施工法」という）との２つに大別される。タイル施工法では、躯体外面にタイルを貼り付けた後、タイルの中央部にアンカー孔を穿設する。これに対し、塗装施行法では、モルタルによる調整後の躯体外面に対し、アンカー孔を直接穿設する。
【先行技術文献】
【特許文献】
【０００４】
【特許文献１】実用新案登録第３１７９２７９号公報
【考案の概要】
【考案が解決しようとする課題】
【０００５】
外壁施工が完了した場合は、足場を解体した後、外壁表面に残るアンカー孔を塞ぐ必要がある。
【０００６】
ここで、タイル施工法による場合は、足場を解体した後、アンカー孔が設けられたタイルまたはタイルピースを、ダイヤモンドカッターにより接合部で切断して除去し、新たなタイルを装着する。しかし、アンカー孔が残るタイルの除去および新たなタイルの装着にかかる作業が非常に繁雑であることに加え、ダイヤモンドカッターによる切断時に発する騒音が大きいという問題がある。
【０００７】
さらに、アンカー孔を完全に塞いでしまえば、新築後に定期的に行う必要のある保全ないし修繕作業の際に、既に埋め込まれているアンカーを再利用することができず、新たなアンカーを打ち込むことが必要となる。このことは、作業性の制限およびコストの増大等の問題として、タイル施工法による場合に限らず、塗装施工法による場合についても同様に懸念される事項である。
【０００８】
このような実情に鑑み、本考案は、アンカーの再利用の機会を確保しながらアンカー孔を塞ぐことのできるアンカー孔閉塞具を提供することを目的とする。
【課題を解決するための手段】
【０００９】
請求項１に記載の考案は、施工対象物の外壁に開設されたアンカー孔に埋設され、施工時の足場の固定に用いられるアンカーに装着されて、施工後のアンカー孔を塞ぐアンカー孔閉塞具であって、表面部と裏面部とを有し、表面部が外壁の表面部と面一となる一方、裏面部がアンカー孔の内方に向くようにアンカー孔に配置されて、アンカー孔を塞ぐ化粧カバー本体と、化粧カバー本体の裏面部からアンカー孔の内方に突出する刺突部とを備え、全体画鋲状をなす化粧カバー部材と、アンカーに形成された壁つなぎ部材挿入孔に圧入固定される固定用軸部と、アンカー孔の内部で壁つなぎ部材挿入孔外に配置される頭部とを備え、頭部の表面部中央に、化粧カバー部材の刺突部を受容する受入用孔部を有する化粧カバー固定用ボルトとを備えることを特徴とする。
【００１０】
請求項２に記載の考案にあっては、化粧カバー本体の表面部に外壁の表面部の柄が付され、表面保護用のコーティング処理が施されていることを特徴とする。
【００１１】
請求項３に記載の考案にあっては、化粧カバー本体は、化粧カバー固定用ボルトの頭部よりも大きな外径を有することを特徴とする。
【００１２】
請求項４に記載の考案にあっては、化粧カバー部材の刺突部は、化粧カバー本体の裏面部が化粧カバー固定用ボルトの頭部に接した状態で、当該頭部を化粧カバー固定用ボルトの軸方向に貫通する長さを有することを特徴とする。
【００１３】
請求項５に記載の考案にあっては、化粧カバー固定用ボルトの頭部は、固定用軸部よりも大きな外径を有することを特徴とする。
【００１４】
請求項６に記載の考案にあっては、化粧カバー固定用ボルトは、少なくとも固定用軸部が樹脂材により形成されていることを特徴とする。
【考案の効果】
【００１５】
請求項１に記載の考案において、外壁施工時には、施工対象物の外壁表面にアンカー孔を開設し、このアンカー孔にアンカーを打ち込む。そして、打ち込まれたアンカーに対し、作業用の足場の壁つなぎ部材を連結し、足場を外壁に固定する。ここで、アンカーに対する壁つなぎ部材の連結は、アンカーに形成された壁つなぎ部材挿入孔に壁つなぎ部材を挿入し、壁つなぎ部材をアンカーに接合固定することによる。
【００１６】
施工を終え、足場を解体した後、アンカー孔に残るアンカーに対し、化粧カバー固定用ボルトをアンカーの壁つなぎ部材挿入孔に圧入固定する。さらに、化粧カバー部材を、その刺突部が化粧カバー固定用ボルトの頭部に刺突し、頭部の表面部中央に備わる受入用孔部に受容された状態で固定する。これにより、アンカー孔の閉塞が完了する。
【００１７】
施工後、定期または臨時に行う保全ないし修繕作業では、化粧カバー部材を化粧カバー固定用ボルトの頭部から取り外すとともに、化粧カバー固定用ボルトをアンカーから取り外すことで、アンカー孔に残るアンカーを再利用して足場を組むことが可能である。
【００１８】
このように、請求項１に記載の考案によれば、施工法を問わず、施工後、単にアンカー孔を塞ぐだけでなく、次回以降の施工時におけるアンカーの再利用の機会を確保することが可能となるので、アンカー孔が残るタイルを除去したり、施工のたびにアンカーを打ち込んだりする必要がなく、足場の構築にかかる作業を効率的にかつコストを抑えながら行うことができる。
【００１９】
請求項２に記載の考案によれば、化粧カバー本体の表面部に付された柄により、化粧カバー部材の存在が目立ち難くなるので、外壁の仕上がりをより良好なものとすることが可能である。さらに、表面保護用のコーティング処理により、表面部の柄を摩耗等の外傷から保護し、仕上がりの状態をより長期に亘って維持することが可能である。
【００２０】
請求項３に記載の考案によれば、化粧カバー本体が化粧カバー固定用ボルトの頭部よりも大きな外径であることで、化粧カバー本体によりアンカー孔をより緊密にまたは隙間なく塞ぐことが可能となるので、外壁の仕上がりをより良好なものとするとともに、アンカー孔閉塞具による止水性の向上を図ることができる。
【００２１】
請求項４に記載の考案によれば、化粧カバー部材の刺突部が、化粧カバー本体の裏面部が化粧カバー固定用ボルトの頭部に接した状態で、当該頭部を化粧カバー固定用ボルトの軸方向に貫通することで、化粧カバー部材をより安定した状態で化粧カバー固定用ボルトに固定し、次回の施工（つまり、アンカーの再利用時）まで、外壁の外観を維持し、良好な止水性を保つことができる。
【００２２】
請求項５に記載の考案によれば、化粧カバー固定用ボルトの頭部が固定用軸部よりも大きな外径を有することで、化粧カバー固定用ボルトの固定用軸部がアンカーの壁つなぎ部材挿入孔に圧入固定された状態で、化粧カバー固定用ボルトの頭部がアンカー孔の内周面に近接するので、頭部とアンカー孔の内周面との間にシーリング剤を施し、化粧カバー固定用ボルトを確実に固定しながら、外部、つまり、アンカー孔外からの水の侵入を抑制することが可能である。
【００２３】
請求項６に記載の考案によれば、化粧カバー固定用ボルトのうち、少なくとも固定用軸部が樹脂剤より形成されていることで、固定用軸部を特別な工具によらず、施工の現場で容易に切断することが可能となるので、化粧カバー固定用ボルトの長さを実際の状況、特に実際のアンカーの状態に応じて適宜に調整し、化粧カバー部材がアンカー孔から過度に出っ張ったり、引っ込んだりして、外観が損なわれる事態を回避することができる。
【図面の簡単な説明】
【００２４】
【図１】図１は、本考案の一実施形態に係るアンカー孔閉塞具を構成する化粧カバー固定用ボルトの側面図である。
【図２】図２は、同上実施形態に係るアンカー孔閉塞具を構成する化粧カバー部材の（ａ）側面図および（ｂ）正面図である。
【図３】図３は、同上実施形態に係るアンカー孔閉塞具を、タイル施工法による施工後の外壁に適用した状態を示す断面図である。
【図４】図４は、同上実施形態に係るアンカー孔閉塞具を、塗装施工法による施工後の外壁に適用した状態を示す断面図である。
【図５】図５は、同上実施形態に係るアンカー孔閉塞具を装着可能なアンカーおよび壁つなぎ部材により、外壁と作業用の足場とを連結した施工時の状態を示す概略図である。
【考案を実施するための形態】
【００２５】
以下に添付の図面を参照して、本考案の実施の形態について説明する。
【００２６】
図１は、本考案の一実施形態に係るアンカー孔閉塞具（以下「アンカーキャップ」という）１を構成する化粧カバー固定用ボルト１０の側面図である。
【００２７】
図２は、アンカーキャップ１を構成する化粧カバー部材２０の（ａ）側面図および（ｂ）正面図である。
【００２８】
図３は、アンカーキャップ１をタイル施工法による施工後の外壁に適用した状態を示す断面図である。
【００２９】
図３を適宜に参照しながら、図１および２に基づき、本実施形態に係るアンカー孔閉塞具（アンカーキャップ）１について説明する。
【００３０】
アンカーキャップ１は、化粧カバー固定用ボルト１０および化粧カバー部材２０により構成される。化粧カバー固定用ボルト１０は、その形状を形容した呼称であって、必ずしもボルトに備わるべき機能、つまり、ボルトのねじ部を有しておらず、後に述べるように、アンカー１０１に形成された壁つなぎ部材挿入孔１１１に圧入可能なものであればよい。アンカーキャップ１は、ビル等の建築物を対象とする外壁施工に際して作業用の足場の固定に用いられるアンカー１０１を埋設するためのアンカー孔ｈを、施工完了後に塞ぐものである。
【００３１】
化粧カバー固定用ボルト１０は、固定用軸部１１と、固定用軸部１１に対して首部１３を介して結合された頭部１２とを備える。
【００３２】
固定用軸部１１は、アンカーキャップ１をアンカー１０１に装着する際に、アンカー１０１の壁つなぎ部材挿入孔１１１に圧入固定され、アンカーキャップ１に対し、アンカー孔ｈを塞ぐ際のアンカー１０１に対する固定強度を付与するために使用される。固定用軸部１１は、軸方向の先端側に先端部１１ａを有するとともに、基端側に蛇腹部１１ｂを有し、先端部１１ａは、外周面がテーパー状をなして、先端側に向けて縮径させられており、蛇腹部１１ｂは、軸方向の全体に亘って同径であるとともに、外周面が蛇腹状に形成されている。蛇腹部１１ｂは、固定用軸部１１をアンカー１０１の壁つなぎ部材挿入孔１１１に圧入する際に、壁つなぎ部材挿入孔１１１内に圧入される。
【００３３】
頭部１２は、固定用軸部１１よりも大きな外径を有するとともに、固定用軸部１１に対して同軸に配置され、アンカーキャップ１を化粧カバー固定用ボルト１０を介してアンカー１０１に装着した状態で、アンカー孔ｈの内部で壁つなぎ部材挿入孔１１１外に配置される（図３）。
【００３４】
首部１３は、固定用軸部１１および頭部１２のいずれよりも小さな外径を有する。アンカーキャップ１を化粧カバー固定用ボルト１０を介してアンカー１０１に装着した状態で、首部１３は、少なくとも頭部１２表面側の一部が壁つなぎ部材挿入孔１１１外に配置され、本実施形態では、全体が壁つなぎ部材挿入孔１１１外に配置される（図３）。
【００３５】
ここで、頭部１２および首部１３（壁つなぎ部材挿入孔１１１の外部に配置される部分）の外周面とアンカー孔ｈの内周面との間に形成される空隙ないし隙間は、アンカーキャップ１によりアンカー孔ｈを塞ぐ際に、アンカー孔ｈに残る空隙を充填するためのシーリング剤５１（図３）の貯留部を形成する。
本実施形態では、頭部１２の外周面がテーパー状をなすとともに、首部１３が径方向内側に凸となる半円状の内面を有することで、貯留部の容積が確保されている。適用可能なシーリング剤として、例えば、シリコーン充填剤が挙げられる。固定用軸部１１がアンカー１０１の壁つなぎ部材挿入孔１１１に圧入され、化粧カバー固定用ボルト１０がアンカー１０１に固定された状態で、化粧カバー固定用ボルト１０の頭部１２は、外周面、特に最も径の大きな外縁部がアンカー孔ｈの内周部に当接する。
【００３６】
化粧カバー固定用ボルト１０は、少なくとも固定用軸部１１が樹脂材により形成されているのが好ましく、本実施形態では、全体が樹脂剤により形成されている。化粧カバー固定用ボルト１０に適用可能な樹脂剤として、例えば、シリコーンゴムが挙げられる。
【００３７】
図２に示すように、化粧カバー部材２０は、化粧カバー本体２１および刺突部２２を備え、図２（ａ）に示すように、全体として画鋲状をなす。
【００３８】
化粧カバー本体２１は、図２（ｂ）に示すように、平面視で円盤状をなし、アンカー孔ｈを塞ぐ際にアンカー孔ｈの外方、つまり、施工対象である外壁Ｈの表面部Ｈａと同方向に向く表面部２１ａと、表面部２１ａとは反対側、つまり、アンカー孔ｈの内方に向く裏面部２１ｂとを有する。表面部２１ａは、アンカー孔ｈを塞ぐ際に外壁Ｈの表面部Ｈａと略面一となるように配置される。
【００３９】
図３に示すように、本実施形態において、化粧カバー本体２１は、化粧カバー固定用ボルト１０の頭部１２よりも大きな外径を有する。
【００４０】
さらに、化粧カバー本体２１は、表面部２１ａに外壁Ｈの表面部Ｈａの柄と同様の柄が付され、表面保護用のコーティング処理が施されている。例えば、タイル施工法による施工では、化粧カバー本体２１の表面部２１ａにタイル柄が付される。図２（ａ）は、化粧カバー本体２１の表面部２１ａに設けられた保護コーティング部２３を、点線により模式的に示す。
【００４１】
刺突部２２は、化粧カバー本体２１の裏面部２１ｂに結合される基端部２２ａと、基端部２２ａとは軸方向の反対側に位置し、アンカー孔ｈを塞ぐ際に化粧カバー本体２１の裏面部２１ｂに対してアンカー孔ｈの内方に突出する先端部２２ｂとを有する。
【００４２】
図１に示すように、本実施形態において、化粧カバー固定用ボルト１０の頭部１２は、表面部の径方向中央に、化粧カバー部材２０の刺突部２２を受容する受入用孔部１２ａを有する。施工後、外壁Ｈに残るアンカー孔ｈを塞ぐ際に、アンカー孔ｈ内のアンカー１０１に固定された化粧カバー固定用ボルト１０の頭部１２に化粧カバー部材２０が差し込まれ、化粧カバー部材２０が化粧カバー固定用ボルト１０に固定される。
この際、受入用孔部１２ａは、化粧カバー部材２０の刺突部２２を受容し、化粧カバー部材２０および刺突部２２の中心軸に沿った円滑な移動を案内する。ここで、化粧カバー部材２０の化粧カバー本体２１は、裏面部２１ｂが化粧カバー固定用ボルト１０の頭部１２に接した状態で、表面部２１ａは外壁Ｈの表面部Ｈａと略面一となり、図３に示すように、刺突部２２は、頭部１２を化粧カバー固定用ボルト１０の軸方向に沿って配置される。
【００４３】
以下に、アンカーキャップ１の使用方法を、タイル施工法による場合を例に説明する。
【００４４】
図５は、本実施形態に係るアンカー孔閉塞具（アンカーキャップ）１を装着可能なアンカー１０１および壁つなぎ部材２０１により、外壁Ｈと作業用の足場３０１とを連結した施工時の状態を示す概略図である。
【００４５】
タイル施工法による施行では、建築物の躯体Ｆの外面にタイルＴを敷き詰め、貼り付ける。躯体Ｆ外面上のタイルＴにより、建築物の外壁Ｈの表面部Ｈａが形成される。外壁Ｈの表面部Ｈａに、タイルＴの表面側からドリル等の工具を用いてアンカー孔ｈを開設し、開設されたアンカー孔ｈに残る切り屑を除去してアンカー孔ｈを清掃した後、アンカー孔ｈにアンカー１０１を打ち込む。
【００４６】
本実施形態では、アンカー１０１として、いわゆるグリップアンカーを採用するが、グリップアンカー以外のアンカー１０１を採用してもよいことは、勿論である。
【００４７】
図５に示すように、打ち込まれたアンカー１０１に対して壁つなぎ部材２０１を連結するとともに、壁つなぎ部材２０１のクランプ部２０３により足場３０１を拘束することにより、壁つなぎ部材２０１と作業用の足場３０１とを連結し、足場３０１を外壁Ｈに固定する。図５は、足場３０１の骨格部分を二点鎖線により模式的に示す。
【００４８】
本実施形態において、アンカー１０１に対する壁つなぎ部材２０１の連結は、アンカー１０１に形成された壁つなぎ部材挿入孔１１１に壁つなぎ部材２０１のねじ部２０２を挿入し、このねじ部２０２と壁つなぎ部材挿入孔１１１の内周面に形成されたねじ部とを螺合させ、壁つなぎ部材２０１をアンカー１０１に接合固定することによる。
【００４９】
施工を終え、足場３０１を解体するとともに、壁つなぎ部材２０１をアンカー孔ｈから除去した後、アンカー孔ｈに残るアンカー１０１に対し、化粧カバー固定用ボルト１０を固定する（図３）。アンカー１０１に対する化粧カバー固定用ボルト１０の固定は、アンカー１０１の壁つなぎ部材挿入孔１１１に化粧カバー固定用ボルト１０の固定用軸部１１を圧入する。
【００５０】
化粧カバー固定用ボルト１０のうち、アンカー１０１の壁つなぎ部材挿入孔１１１外に配置される部分（本実施形態では、頭部１２と首部１３の全体）と、壁つなぎ部材挿入孔１１１の内周面との間にシーリング剤５１を充填することで、化粧カバー固定用ボルト１０の固定強度が増強されるとともに、アンカー孔ｈへの水の進入が防止される。
【００５１】
その後、化粧カバー部材２０を、刺突部２２が化粧カバー固定用ボルト１０の頭部１２に差し込み、頭部１２の表面部中央に備わる受入用孔部１２ａに受容された状態で固定する。これにより、図３に示すように、アンカーキャップ１によるアンカー孔ｈの閉塞が完了する。
【００５２】
施工後、定期または臨時に行う保全ないし修繕作業では、化粧カバー部材２０を化粧カバー固定用ボルト１０の頭部１２から取り外すとともに、化粧カバー固定用ボルト１０をアンカー１０１から取り外す。そして、作業用の足場３０１を改めて構築するとともに、アンカー孔ｈに残るアンカー１０１を再利用して壁つなぎ部材２０１を外壁Ｈに固定し、壁つなぎ部材２０１と足場３０１とを連結することで、足場３０１を外壁Ｈに固定する。
【００５３】
本実施形態に係るアンカー孔閉塞具（アンカーキャップ）１は、以上の構成を有し、本実施形態により得られる効果について、以下に説明する。
【００５４】
第１に、施工後、単にアンカー孔ｈを塞ぐだけでなく、次回以降の施工時（例えば、定期または臨時に行う保全ないし修繕作業時）におけるアンカー１０１の再利用の機会を確保することが可能となる。よって、次回以降の施工に際し、ダイヤモンドカッターにより騒音を伴いながらアンカー１０１が残るタイルＴを除去したり、施工のたびにアンカー１０１を打ち込んだりする必要がなく、足場３０１の構築にかかる作業を、騒音を発生させることなく、効率的にかつコストを抑えながら行うことができる。
【００５５】
第２に、化粧カバー本体２１の表面部２１ａに付された柄により、化粧カバー部材２０の存在が目立ち難くなるので、外壁Ｈの仕上がりをより良好なものとすることが可能である。さらに、保護コーティング部２３により、表面部２１ａの柄を摩耗または風雨等の外傷から保護し、施工後、次回の施工に至るまでの間、仕上がりの状態をより良好に維持することが可能である。
【００５６】
第３に、化粧カバー本体２１を化粧カバー固定用ボルト１０の頭部１２よりも大きな外径としたことで、化粧カバー本体２１によりアンカー孔ｈをより緊密にまたは隙間なく塞ぐことが可能となり、外壁Ｈの仕上がりをより良好なものとするとともに、アンカーキャップ１による止水性の向上を図ることができる。
【００５７】
第４に、化粧カバー部材２０の刺突部２２が、化粧カバー本体２１の裏面部２１ｂが化粧カバー固定用ボルト１０の頭部１２に接した状態で、頭部１２を化粧カバー固定用ボルト１０の軸方向に貫通することで、化粧カバー部材２０をより安定した状態で化粧カバー固定用ボルト１０に固定し、次回の施工（つまり、アンカー１０１の再利用時）まで、外壁Ｈの外観を維持する。
【００５８】
第５に、化粧カバー固定用ボルト１０の頭部１２が固定用軸部１１よりも大きな外径を有し、特に本実施形態では、頭部１２がテーパー状をなすとともに、化粧カバー固定用ボルト１０の固定用軸部１１がアンカー１０の壁つなぎ部材挿入孔１１１に圧入固定された状態で、頭部１２表面側の外縁部がアンカー孔ｈの内周面に近接するので（図３）、頭部１２とアンカー孔ｈの内周面との間に、シーリング剤５１の貯留部として良好な空間を確保するとともに、シーリング剤５１の緊密な施工が可能となり、化粧カバー固定用ボルト１０を確実に固定しながら、外部からの水の侵入を抑制することが可能である。
【００５９】
第６に、化粧カバー固定用ボルト１０を樹脂剤により形成することで、固定用軸部１１を特別な工具によらず、施工の現場で容易に切断することが可能となるので、化粧カバー固定用ボルト１０の長さを実際の状況、特に実際のアンカー１０１の状態に応じて適宜に調整し、化粧カバー部材２０、特に化粧カバー本体２１がアンカー孔ｈから過度に出っ張ったり、引っ込んだりして、外観が損なわれる事態を回避することができる。
【００６０】
以上の説明では、外壁Ｈの施工法としてタイル施工法を採用した場合について説明した。しかし、適用可能な施工法は、これに限定されるものではなく、例えば、塗装施工法を採用することが可能である。塗装施工法では、タイルを用いず、施工対象物の躯体Ｆの外面に塗装処理を施すに止める。タイル施工法では、タイルＴの貼付後、タイルＴの中央部にアンカー孔ｈを穿設するが（図３）、塗装施工法では、モルタルによる調整後の外壁Ｈの表面部Ｈａに対し、アンカー孔ｈを直接穿設する。
【００６１】
図４は、本実施形態に係るアンカー孔閉塞具（アンカーキャップ）１を、塗装施工法による施工後の外壁Ｈに適用した状態を示す断面図である。
【００６２】
図４に示すように、塗装施工法では、躯体Ｆ外面上の塗装層Ｐにより、建築物の外壁Ｈの表面部Ｈａが形成される。
【００６３】
本実施形態によれば、上記第１から第６の効果を、塗装施行法による施工後の外壁Ｈについて得ること、つまり、タイル施行法による場合に限らず、施行法を問わずに得ることが可能であり、施工を終えてアンカー孔ｈを塞いだ後、次回以降の施工時におけるアンカー１０１の再利用の機会を確保し、足場３０１の構築にかかる作業を効率的にかつコストを抑えながら行うことができる。
【符号の説明】
【００６４】
１…アンカー孔閉塞具（アンカーキャップ）
１０…化粧カバー固定用ボルト
１１…固定用軸部
１１ａ…先端部
１１ｂ…蛇腹部
１２…頭部
１２ａ…受入用孔部
１３…首部
２０…化粧カバー部材
２１…化粧カバー本体
２１ａ…表面部
２１ｂ…裏面部
２２…刺突部
２２ａ…基端部
２２ｂ…先端部
２３…保護コーティング部
５１…シーリング剤
１０１…アンカー
１１１…壁つなぎ部材挿入孔
２０１…壁つなぎ部材
２０２…ねじ部
２０３…クランプ部
３０１…足場
ｈ…アンカー孔
Ｈ…外壁
Ｈａ…表面部
Ｆ…躯体
Ｔ…タイル
Ｐ…塗装層
【図１】
0003235159.tif 000003
【図２】
0003235159.tif 000004
【図３】
0003235159.tif 000005
【図４】
0003235159.tif 000006
【図５】
0003235159.tif 000007